(57)【要約】【課題】２板式のプロジェクターにおいて時分割駆動される液晶パネルの焼きつきを防止する。【解決手段】プロジェクター１は、Ｒ色の光を発光するＲ色光源１１とＢ色の光を発光するＢ色光源１３と、Ｇ色の光を発光するＧ色光源２１と、Ｒ色光源１１及びＢ色光源１３の光が入射し、Ｒ色の画像信号ＶｒとＢ色の画像信号Ｖｂとが供給される第１液晶パネル１００と、Ｇ色光源２１の光が入射し、Ｇ色の画像信号Ｖｇが供給される第２液晶パネル２００を備える。奇数フレームの第２単位期間と偶数フレームの第１単位期間とでは、データ信号の極性を反転させ、偶数フレームの２単位期間と奇数フレームの第１単位期間とでは、データ信号の極性を反転させる。【選択図】図２
2013041158.tif 000002
【特許請求の範囲】
【請求項１】
第１色の光を発光する第１色の光源と、
第２色の光を発光する第２色の光源と、
第３色の光を発光する第３色の光源と、
複数の走査線と、複数のデータ線と、前記走査線と前記データ線との交差に対応して設けられ、前記データ線を介して供給されるデータ信号が供給される画素電極と共通電極との間の電圧に応じて透過率が制御される複数の画素とを備え、前記第１色の光源からの光と前記第２色の光源からの光が入射する第１液晶パネルと、
前記第１液晶パネルを駆動する第１駆動手段と、
透過率が制御される複数の画素に前記第３色の光源の光が入射する第２液晶パネルと、
前記第２液晶パネルを駆動する第２駆動手段と、
前記第１液晶パネルを透過した光と前記第２液晶パネルを透過した光とを合成して出力する光学手段と、
前記第１色の光源及び前記第２色の光源の発光を制御する発光制御手段と、
１画面の画像を表示する１フレームは、前記第１液晶パネルを時分割で駆動する単位である第１単位期間と第２単位期間に分割され、前記第１単位期間の一部又は全部において前記第１色の各画素の輝度を示す第１色の画像信号を前記第１駆動手段に供給し、前記第２単位期間の一部又は全部において前記第２色の各画素の輝度を示す第２色の画像信号を前記第１駆動手段に供給する画像制御手段とを備え、
前記第１駆動手段は、
前記第１色の画像信号又は前記第２色の画像信号に基づいて前記データ信号を前記複数のデータ線に出力し、
奇数フレームの前記第１単位期間と偶数フレームの前記第１単位期間とでは前記共通電極の電位を基準として前記データ信号の極性を反転させ、
奇数フレームの前記第２単位期間と偶数フレームの前記第２単位期間とでは前記共通電極の電位を基準として前記データ信号の極性を反転させる、
ことを特徴とするプロジェクター。
【請求項２】
前記発光制御手段は、
前記第１単位期間の前半において、前記第１液晶パネルに１画面の前記第１色のデータ信号の書き込みが終了するまでは、前記第１色の光源及び前記第２色の光源が非発光となるように制御し、前記書き込みが終了した後の前記第１単位期間の後半において、前記第１色の光源が発光し且つ前記第２色の光源が非発光となるように制御し、
前記第２単位期間の前半において、前記第１液晶パネルに１画面の前記第２色のデータ信号の書き込みが終了するまでは、前記第１色の光源及び前記第２色の光源が非発光となるように制御し、前記書き込みが終了した後の前記第２単位期間の後半において、前記第２色の光源が発光し且つ前記第２色の光源が非発光となるように制御する、
ことを特徴とする請求項１に記載のプロジェクター。
【請求項３】
第１色の光を発光する第１色の光源と、
第２色の光を発光する第２色の光源と、
第３色の光を発光する第３色の光源と、
複数の走査線と、複数のデータ線と、前記走査線と前記データ線との交差に対応して設けられ、前記データ線を介して供給されるデータ信号が供給される画素電極と共通電極との間の電圧に応じて透過率が制御される複数の画素とを備え、前記第１色の光源からの光と前記第２色の光源からの光が入射する第１液晶パネルと、
前記第１液晶パネルを駆動する第１駆動手段と、
透過率が制御される複数の画素に前記第３色の光源の光が入射する第２液晶パネルと、
前記第２液晶パネルを駆動する第２駆動手段と、
前記第１液晶パネルを透過した光と前記第２液晶パネルを透過した光とを合成して出力する光学手段と、
前記第１色の光源及び前記第２色の光源の発光を制御する発光制御手段と、
１画面の画像を表示する１フレームは、前記第１液晶パネルを時分割で駆動する単位である第１単位期間と第２単位期間に分割され、奇数フレームの前記第１単位期間の一部又は全部において前記第１色の各画素の輝度を示す第１色の画像信号を前記第１駆動手段に供給し、奇数フレームの前記第２単位期間の一部又は全部において前記第２色の各画素の輝度を示す第２色の画像信号を前記第１駆動手段に供給し、偶数フレームの前記第１単位期間の一部又は全部において前記第２色の画像信号を前記第１駆動手段に供給し、偶数フレームの前記第２単位期間の一部又は全部において前記第１色の画像信号を前記第１駆動手段に供給する画像制御手段とを備え、
前記第１駆動手段は、
前記第１色の画像信号又は前記第２色の画像信号に基づいて前記データ信号を前記複数のデータ線に出力し、
奇数フレームの前記第２単位期間と偶数フレームの前記第１単位期間とでは、前記共通電極の電位を基準として前記データ信号の極性を反転させ、
偶数フレームの前記第２単位期間と奇数フレームの前記第１単位期間とでは、前記共通電極の電位を基準として前記データ信号の極性を反転させる、
ことを特徴とするプロジェクター。
【請求項４】
前記発光制御手段は、
奇数フレームの前記第２単位期間の前半において、前記第１液晶パネルに１画面の前記第２色のデータ信号の書き込みが終了するまでは、前記第１色の光源及び前記第２色の光源が非発光となるように制御し、前記書き込みが終了した後の前記第２単位期間の後半から前記偶数フレームの前記第１単位期間が終了するまでは、前記第２色の光源が発光し且つ前記第１色の光源が非発光となるように制御し、
偶数フレームの前記第２単位期間の前半において、前記第１液晶パネルに１画面の前記第１色のデータ信号の書き込みが終了するまでは、前記第１色の光源及び前記第２色の光源が非発光となるように制御し、前記書き込みが終了した後の前記第２単位期間の後半から前記奇数フレームの前記第１単位期間が終了するまでは、前記第１色の光源が発光し且つ前記第２色の光源が非発光となるように制御する、
ことを特徴とする請求項３に記載のプロジェクター。
【請求項５】
第１色の光を発光する第１色の光源と、第２色の光を発光する第２色の光源と、第３色の光を発光する第３色の光源と、複数の走査線と、複数のデータ線と、前記走査線と前記データ線との交差に対応して設けられ、前記データ線を介して供給されるデータ信号が供給される画素電極と共通電極との間の電圧に応じて透過率が制御される複数の画素とを備え、前記第１色の光源からの光と前記第２色の光源からの光が入射する第１液晶パネルと、透過率が制御される複数の画素に前記第３色の光源の光が入射する第２液晶パネルと、前記第１液晶パネルを透過した光と前記第２液晶パネルを透過した光とを合成して出力する光学手段とを備えたプロジェクターの制御方法であって、
１画面の画像を表示する１フレームは、前記第１液晶パネルを時分割で駆動する単位である第１単位期間と第２単位期間に分割され、
前記第１単位期間の一部又は全部において前記第１色の各画素の輝度を示す第１色の前記データ信号を前記第１液晶パネルの各画素に書き込み、
前記第２単位期間の一部又は全部において前記第２色の各画素の輝度を示す第２色の前記データ信号を前記第１液晶パネルの各画素に書き込み、
奇数フレームの前記第１単位期間と偶数フレームの前記第１単位期間では、前記共通電極の電位を基準として前記データ信号の極性を反転させ、
奇数フレームの前記第２単位期間と偶数フレームの前記第２単位期間では、前記共通電極の電位を基準として前記データ信号の極性を反転させる、
ことを特徴とするプロジェクターの制御方法。
【請求項６】
第１色の光を発光する第１色の光源と、第２色の光を発光する第２色の光源と、第３色の光を発光する第３色の光源と、複数の走査線と、複数のデータ線と、前記走査線と前記データ線との交差に対応して設けられ、前記データ線を介して供給されるデータ信号が供給される画素電極と共通電極との間の電圧に応じて透過率が制御される複数の画素とを備え、前記第１色の光源からの光と前記第２色の光源からの光が入射する第１液晶パネルと、透過率が制御される複数の画素に前記第３色の光源の光が入射する第２液晶パネルと、前記第１液晶パネルを透過した光と前記第２液晶パネルを透過した光とを合成して出力する光学手段とを備えたプロジェクターの制御方法であって、
１画面の画像を表示する１フレームは、前記第１液晶パネルを時分割で駆動する単位である第１単位期間と第２単位期間に分割され、
前記第１単位期間の一部又は全部において前記第１色の各画素の輝度を示す第１色の前記データ信号を前記第１液晶パネルの各画素に書き込み、
前記第２単位期間の一部又は全部において前記第２色の各画素の輝度を示す第２色の前記データ信号を前記第１液晶パネルの各画素に書き込み、
奇数フレームの前記第１単位期間と偶数フレームの前記第１単位期間では、前記共通電極の電位を基準として前記データ信号の極性を反転させ、
奇数フレームの前記第２単位期間と偶数フレームの前記第２単位期間では、前記共通電極の電位を基準として前記データ信号の極性を反転させる、
ことを特徴とするプロジェクターの制御方法。
【発明の詳細な説明】
【技術分野】
【０００１】
本発明は、２つのライトバルブを備えたプロジェクターに関する。
【背景技術】
【０００２】
近年、大画面をスクリーンに表示する投射型表示装置としてプロジェクターが普及している。プロジェクターには、Ｒ色、Ｂ色、及びＧ色の各々に対応する光源及び液晶パネルを備えるものがある。さらに、Ｇ色光源に対応する液晶パネルと、Ｒ色光源とＢ色光源とを時分割に発光させ、これらに対応する液晶パネルとを備えた２板式のプロジェクターが知られている（特許文献１参照）。
２板式のプロジェクターは、液晶パネル数を減らすことができるといった利点がある。
【先行技術文献】
【特許文献】
【０００３】
【特許文献１】特開平２−１２３３４４号公報
【発明の概要】
【発明が解決しようとする課題】
【０００４】
ところで、液晶パネルにおいて各画素の透過率は、液晶に印加電圧に応じて変化するが、直流電圧を液晶に印加すると、いわゆる焼きつきが発生し、画像を書き換えても元の画像が残るといった問題がある。このため、液晶パネルの駆動は液晶に印加する電圧を所定周期で反転させる交流駆動が一般的である。
上述した先行技術文献には、１フレームの期間にＲ色の画像とＢ色の画像とを時分割で液晶パネルに書き込む点が示されているが、どのようにして交流駆動を実現するかについては開示がない。一方、液晶テレビなどでは、動きによる残像を低減するために１フレーム中に２回画像を書き込む倍速駆動が知られている。この場合には、１フレームの前半で液晶パネルに書き込む電圧と後半に液晶パネルに書き込む電圧との極性を反転させればよい。
しかしながら、１フレームの期間にＲ色の画像とＢ色の画像とを時分割で液晶パネルに書き込む場合、Ｒ色の画像とＢ色の画像には相関性が無いので、液晶テレビの倍速駆動の技術を適用しても交流駆動は実現できず、焼きつきが発生するといった問題があった。
本発明は、上述した事情に鑑みてなされたものであり、２板式のプロジェクターにおいて、焼きつきによる残像を低減することなどを解決課題とする。
【課題を解決するための手段】
【０００５】
この課題を解決するために、本発明に係るプロジェクターは、第１色の光を発光する第１色の光源と、第２色の光を発光する第２色の光源と、第３色の光を発光する第３色の光源と、複数の走査線と、複数のデータ線と、前記走査線と前記データ線との交差に対応して設けられ、前記データ線を介して供給されるデータ信号が供給される画素電極と共通電極との間の電圧に応じて透過率が制御される複数の画素とを備え、前記第１色の光源からの光と前記第２色の光源からの光が入射する第１液晶パネルと、前記第１液晶パネルを駆動する第１駆動手段と、透過率が制御される複数の画素に前記第３色の光源の光が入射する第２液晶パネルと、前記第２液晶パネルを駆動する第２駆動手段と、前記第１液晶パネルを透過した光と前記第２液晶パネルを透過した光とを合成して出力する光学手段と、前記第１色の光源及び前記第２色の光源の発光を制御する発光制御手段と、１画面の画像を表示する１フレームは、前記第１液晶パネルを時分割で駆動する単位である第１単位期間と第２単位期間に分割され、前記第１単位期間の一部又は全部において前記第１色の各画素の輝度を示す第１色の画像信号を前記第１駆動手段に供給し、前記第２単位期間の一部又は全部において前記第２色の各画素の輝度を示す第２色の画像信号を前記第１駆動手段に供給する画像制御手段とを備え、前記第１駆動手段は、前記第１色の画像信号又は前記第２色の画像信号に基づいて前記データ信号を前記複数のデータ線に出力し、奇数フレームの前記第１単位期間と偶数フレームの前記第１単位期間とでは前記共通電極の電位を基準として前記データ信号の極性を反転させ、奇数フレームの前記第２単位期間と偶数フレームの前記第２単位期間とでは前記共通電極の電位を基準として前記データ信号の極性を反転させることを特徴とする。
【０００６】
この発明によれば、１フレームを第１単位期間と第２単位期間に分割し、第１液晶パネルでは、第１単位期間において第１色の画像を表示し、第２単位期間において第２色の画像を表示する時分割駆動が行われる。この場合に、第１単位期間では第１色のデータ信号が第１液晶パネルの各画素に書き込まれるが、この書き込みにおいて、奇数フレームと偶数フレームで共通電極の電位を基準としてデータ信号の極性が反転される。一方、第２単位期間では第２色のデータ信号が第１液晶パネルの各画素に書き込まれるが、この書き込みにおいて、奇数フレームと偶数フレームで共通電極の電位を基準としてデータ信号の極性が反転される。すなわち、第１色と第２色のデータ信号を時分割で書き込む場合に、同一色のデータ信号の極性を反転させるので、液晶を交流駆動することができ、第１液晶パネルの焼きつきを防止することができる。
【０００７】
上述したプロジェクターにおいて、前記発光制御手段は、  前記第１単位期間の前半において、前記第１液晶パネルに１画面の前記第１色のデータ信号の書き込みが終了するまでは、前記第１色の光源及び前記第２色の光源が非発光となるように制御し、前記書き込みが終了した後の前記第１単位期間の後半において、前記第１色の光源が発光し且つ前記第２色の光源が非発光となるように制御し、前記第２単位期間の前半において、前記第１液晶パネルに１画面の前記第２色のデータ信号の書き込みが終了するまでは、前記第１色の光源及び前記第２色の光源が非発光となるように制御し、前記書き込みが終了した後の前記第２単位期間の後半において、前記第２色の光源が発光し且つ前記第２色の光源が非発光となるように制御することが好ましい。
【０００８】
この発明によれば、現在のフレームの第１単位期間と直前のフレームの第２単位期間では、第１液晶パネルで表示する色が相違するので、第１単位期間の前半では画素で保持しているデータ信号とは異なる色のデータ信号が書き込まれる。そのような期間では、第１色の光源と第２色の光源とがいずれも非発光となるように制御するので、混色を防止することができる。
【０００９】
次に、本発明に係るプロジェクターは、第１色の光を発光する第１色の光源と、第２色の光を発光する第２色の光源と、第３色の光を発光する第３色の光源と、複数の走査線と、複数のデータ線と、前記走査線と前記データ線との交差に対応して設けられ、前記データ線を介して供給されるデータ信号が供給される画素電極と共通電極との間の電圧に応じて透過率が制御される複数の画素とを備え、前記第１色の光源からの光と前記第２色の光源からの光が入射する第１液晶パネルと、前記第１液晶パネルを駆動する第１駆動手段と、透過率が制御される複数の画素に前記第３色の光源の光が入射する第２液晶パネルと、前記第２液晶パネルを駆動する第２駆動手段と、前記第１液晶パネルを透過した光と前記第２液晶パネルを透過した光とを合成して出力する光学手段と、前記第１色の光源及び前記第２色の光源の発光を制御する発光制御手段と、１画面の画像を表示する１フレームは、前記第１液晶パネルを時分割で駆動する単位である第１単位期間と第２単位期間に分割され、奇数フレームの前記第１単位期間の一部又は全部において前記第１色の各画素の輝度を示す第１色の画像信号を前記第１駆動手段に供給し、奇数フレームの前記第２単位期間の一部又は全部において前記第２色の各画素の輝度を示す第２色の画像信号を前記第１駆動手段に供給し、偶数フレームの前記第１単位期間の一部又は全部において前記第１色の画像信号を前記第１駆動手段に供給し、偶数フレームの前記第２単位期間の一部又は全部において前記第１色の画像信号を前記第１駆動手段に供給する画像制御手段とを備え、前記第１駆動手段は、前記第１色の画像信号又は前記第２色の画像信号に基づいて前記データ信号を前記複数のデータ線に出力し、奇数フレームの前記第２単位期間と偶数フレームの前記第１単位期間とでは、前記共通電極の電位を基準として前記データ信号の極性を反転させ、偶数フレームの前記第２単位期間と奇数フレームの前記第１単位期間とでは、前記共通電極の電位を基準として前記データ信号の極性を反転させる、ことを特徴とする。
【００１０】
この発明によれば、１フレームを第１単位期間と第２単位期間に分割し、奇数フレームの第２単位期間と偶数フレームの第１単位期間に第２色を割り当て、偶数フレームの第２単位期間と奇数フレームの第１単位期間に第１色を割り当て第１液晶パネルを時分割で駆動する。この場合に、奇数フレームの第２単位期間及び偶数フレームの第１単位期間では、第２色のデータ信号が第１液晶パネルの各画素に書き込まれるが、この書き込みにおいて、奇数フレームと偶数フレームで共通電極の電位を基準としてデータ信号の極性が反転される。一方、偶数フレームの第２単位期間及び奇数フレームの第１単位期間では、第１色のデータ信号が第１液晶パネルの各画素に書き込まれるが、この書き込みにおいて、奇数フレームと偶数フレームで共通電極の電位を基準としてデータ信号の極性が反転される。すなわち、第１色と第２色のデータ信号を時分割で書き込む場合に、同一色のデータ信号の極性を反転させるので、液晶を交流駆動することができ、第１液晶パネルの焼きつきを防止することができる。
【００１１】
上述したプロジェクターにおいて、前記発光制御手段は、奇数フレームの前記第２単位期間の前半において、前記第１液晶パネルに１画面の前記第２色のデータ信号の書き込みが終了するまでは、前記第１色の光源及び前記第２色の光源が非発光となるように制御し、前記書き込みが終了した後の前記第２単位期間の後半から前記偶数フレームの前記第１単位期間が終了するまでは、前記第２色の光源が発光し且つ前記第１色の光源が非発光となるように制御し、偶数フレームの前記第２単位期間の前半において、前記第１液晶パネルに１画面の前記第１色のデータ信号の書き込みが終了するまでは、前記第１色の光源及び前記第２色の光源が非発光となるように制御し、前記書き込みが終了した後の前記第２単位期間の後半から前記奇数フレームの前記第１単位期間が終了するまでは、前記第１色の光源が発光し且つ前記第２色の光源が非発光となるように制御することが好ましい。
【００１２】
この発明によれば、奇数フレームの第２単位期間の前半において、第２色のデータ信号の書き込みが終了した後から偶数フレームの第１単位期間が終了する期間に、第２色の光源が発光するように制御し、偶数フレームの第２単位期間の前半において、第１色のデータ信号の書き込みが終了した後から奇数フレームの第１単位期間が終了する期間に、第１色の光源が発光するように制御する。すなわち、連続する単位期間で同一色のデータ信号を各画素に書き込むので、混色を回避するために第１色の光源及び第２色の光源を非発光とする期間を短くできる。このため、第１色の光源と第２色の光源との発光期間を長くすることができ、プロジェクターで表示する画像の輝度を向上させることができる。
【００１３】
本発明に係るプロジェクターの制御方法は、第１色の光を発光する第１色の光源と、第２色の光を発光する第２色の光源と、第３色の光を発光する第３色の光源と、複数の走査線と、複数のデータ線と、前記走査線と前記データ線との交差に対応して設けられ、前記データ線を介して供給されるデータ信号が供給される画素電極と共通電極との間の電圧に応じて透過率が制御される複数の画素とを備え、前記第１色の光源からの光と前記第２色の光源からの光が入射する第１液晶パネルと、透過率が制御される複数の画素に前記第３色の光源の光が入射する第２液晶パネルと、前記第１液晶パネルを透過した光と前記第２液晶パネルを透過した光とを合成して出力する光学手段とを備えたプロジェクターを制御する方法であって、１画面の画像を表示する１フレームは、前記第１液晶パネルを時分割で駆動する単位である第１単位期間と第２単位期間に分割され、前記第１単位期間の一部又は全部において前記第１色の各画素の輝度を示す第１色の前記データ信号を前記第１液晶パネルの各画素に書き込み、前記第２単位期間の一部又は全部において前記第２色の各画素の輝度を示す第２色の前記データ信号を前記第１液晶パネルの各画素に書き込み、奇数フレームの前記第１単位期間と偶数フレームの前記第１単位期間では、前記共通電極の電位を基準として前記データ信号の極性を反転させ、奇数フレームの前記第２単位期間と偶数フレームの前記第２単位期間では、前記共通電極の電位を基準として前記データ信号の極性を反転させる、ことを特徴とする。
【００１４】
この発明によれば、第１単位期間では第１色のデータ信号が第１液晶パネルの各画素に書き込まれるが、この書き込みにおいて、奇数フレームと偶数フレームで共通電極の電位を基準としてデータ信号の極性が反転される。一方、第２単位期間では第２色のデータ信号が第１液晶パネルの各画素に書き込まれるが、この書き込みにおいて、奇数フレームと偶数フレームで共通電極の電位を基準としてデータ信号の極性が反転される。すなわち、第１色と第２色のデータ信号を時分割で書き込む場合に、同一色のデータ信号の極性を反転させるので、液晶を交流駆動することができ、第１液晶パネルの焼きつきを防止することができる。
【００１５】
次に、本発明に係るプロジェクターの制御方法は、第１色の光を発光する第１色の光源と、第２色の光を発光する第２色の光源と、第３色の光を発光する第３色の光源と、複数の走査線と、複数のデータ線と、前記走査線と前記データ線との交差に対応して設けられ、前記データ線を介して供給されるデータ信号が供給される画素電極と共通電極との間の電圧に応じて透過率が制御される複数の画素とを備え、前記第１色の光源からの光と前記第２色の光源からの光が入射する第１液晶パネルと、透過率が制御される複数の画素に前記第３色の光源の光が入射する第２液晶パネルと、前記第１液晶パネルを透過した光と前記第２液晶パネルを透過した光とを合成して出力する光学手段とを備えたプロジェクターを制御する方法であって、１画面の画像を表示する１フレームは、前記第１液晶パネルを時分割で駆動する単位である第１単位期間と第２単位期間に分割され、前記第１単位期間の一部又は全部において前記第１色の各画素の輝度を示す第１色の前記データ信号を前記第１液晶パネルの各画素に書き込み、前記第２単位期間の一部又は全部において前記第２色の各画素の輝度を示す第２色の前記データ信号を前記第１液晶パネルの各画素に書き込み、奇数フレームの前記第１単位期間と偶数フレームの前記第１単位期間では、前記共通電極の電位を基準として前記データ信号の極性を反転させ、奇数フレームの前記第２単位期間と偶数フレームの前記第２単位期間では、前記共通電極の電位を基準として前記データ信号の極性を反転させる、ことを特徴とする。
【００１６】
この発明によれば、奇数フレームの第２単位期間及び偶数フレームの第１単位期間では、第２色のデータ信号が第１液晶パネルの各画素に書き込まれるが、この書き込みにおいて、奇数フレームと偶数フレームで共通電極の電位を基準としてデータ信号の極性が反転される。一方、偶数フレームの第２単位期間及び奇数フレームの第１単位期間では、第１色のデータ信号が第１液晶パネルの各画素に書き込まれるが、この書き込みにおいて、奇数フレームと偶数フレームで共通電極の電位を基準としてデータ信号の極性が反転される。すなわち、第１色と第２色のデータ信号を時分割で書き込む場合に、同一色のデータ信号の極性を反転させるので、液晶を交流駆動することができ、第１液晶パネルの焼きつきを防止することができる。
【図面の簡単な説明】
【００１７】
【図１】実施形態に係るプロジェクターの機械的な構成を示すブロック図である。
【図２】実施形態に係るプロジェクターの電気的な構成を示すブロック図である。
【図３】第１液晶パネルの電気的な構成を示すブロック図である。
【図４】画素の構成を示す回路図である。
【図５】第１実施形態に係るプロジェクターの動作を示すフローチャートである。
【図６】第２実施形態に係るプロジェクターの動作を示すフローチャートである。
【図７】第３実施形態に係るプロジェクターの動作を示すフローチャートである。
【発明を実施するための形態】
【００１８】
以下、本発明の実施形態について図面を参照して説明する。
＜１．第１実施形態＞
＜１-１：プロジェクターの構成＞
図１は、第１実施形態に係るプロジェクターの機械的な構成を示すブロック図である。この図に示すようにプロジェクター１は、Ｒ色（赤色）の光とＢ色（青色）の光が時分割で入射する第１液晶パネル１００、Ｇ色（緑色）の光が入射する第２液晶パネル２００、第１液晶パネル１００を透過した光と第２液晶パネル２００を透過した光を合成してスクリーンＳに照射する光学系３０とを備える。
【００１９】
Ｒ色光源１１はＲ色の光を発光する。フィールドレンズ１２はＲ色光源１１からの光を平行光に変換してダイクロイックプリズム１５に導く。一方、Ｂ色光源１３はＢ色の光を発光する。フィールドレンズ１４はＢ色光源１３からの光を平行光に変換してダイクロイックプリズム１５に導く。Ｒ色光源１１及びＢ色光源１３は、例えば、ＬＥＤによって構成することができる。ダイクロイックプリズム１５は、Ｒ色の光を透過すると共にＢ色の光を反射して得た光を第１液晶パネル１００に照射する。第１液晶パネル１００は、Ｒ色の光とＢ色の光との切り換えに同期して、Ｒ色の輝度とＢ色の輝度とに応じた透過率となるように光変調が制御される。
【００２０】
また、Ｇ色光源２１はＧ色の光を発光する。フィールドレンズ２２はＧ色光源２１からの光を平行光に変換して第２液晶パネル２００に照射する。第２液晶パネル２００は、Ｇ色の輝度に応じた透過率となるように光変調が制御される。
【００２１】
光学系３０において、ダイクロイックプリズム３１には、第１液晶パネル１００を透過した光と第２液晶パネル２００を透過した光とが入射し、これらの光を合成した光を投射レンズ３２に出力する。投射レンズ３２は、合成された光をスクリーンＳに投射する。
【００２２】
図２は、実施形態に係るプロジェクターの電気的な構成を示すブロック図である。プロジェクター１には、外部から、Ｒ色の輝度を示す画像データＤｒ、Ｂ色の輝度を示す画像データＤｂ、及びＧ色の輝度を示す画像データＤｇが供給される。画像処理回路４０は画像データＤｒ,Ｄｂ,Ｄｇにガンマ補正などの画像処理を施して制御回路５０に出力する。
【００２３】
制御回路５０は、プロジェクター１の全体を制御する制御中枢として機能する。具体的には、制御回路５０は、光源駆動回路６０に対して各光源を制御する光源制御信号ＬＣを供給すると共に、第１液晶パネル１００及び第２液晶パネル２００に制御信号と画像信号とを供給する。
【００２４】
第１液晶パネル１００に供給される第１画像信号Ｖ１は、Ｒ色の画像信号ＶｒとＢ色の画像信号Ｖｂとが時分割多重された信号であり、第２液晶パネル２００に供給される第２画像信号Ｖ２はＧ色の画像信号Ｖｇである。また、第１液晶パネル１００及び第２液晶パネル２００の焼きつきを防止するため、制御回路５０は画像信号Ｖｒ、Ｖｂ、及びＶｇの電圧を、後述する共通電極１０８に供給される共通電位ＬＣcomを基準として（図４参照）、所定の規則に従って反転する。共通電位ＬＣcomを基準として、高電位を正極性、低電位を負極性としたとき、制御回路５０は、第１画像信号Ｖ１（Ｖｒ,Ｖｂ）の極性を指定する第１極性信号Ｚ１と第２画像信号Ｖ２（Ｖｇ）の極性を指定する第２極性信号Ｚ２を内部で生成し（図５参照）、これに基づいて画像信号の極性を制御する。
【００２５】
第１液晶パネル１００に形成された走査線駆動回路とデータ線駆動回路は、第１液晶パネル１００を駆動する第１駆動回路として機能し、第２液晶パネル２００に形成された走査線駆動回路とデータ線駆動回路は第２駆動回路として機能する。なお、第１駆動回路及び第２駆動回路は、第１液晶パネル１００及び第２液晶パネル２００の外部に設けてもよい。
【００２６】
光源駆動回路６０は、光源制御信号ＬＣに基づいてＲ色光源１１、Ｂ色光源１３、及びＧ色光源２１を制御する発光制御信号Ｌｒ、Ｌｂ、及びＬｇを生成する。Ｒ色光源１１、Ｂ色光源１３、及びＧ色光源２１は各発光制御信号Ｌｂ、Ｌｒ、及びＬｇのレベルに応じた輝度で発光する。この例では、発光制御信号Ｌｂ、Ｌｒ及びＬｇはハイレベルとローレベルの２値であり、発光制御信号がハイレベルの期間、各光源は発光（点灯）し、発光制御信号がローレベルの期間、各光源は非発光（消灯）となる。
【００２７】
図３に第１液晶パネル１００の電気的な構成を示す。なお、第２液晶パネル２００も同様に構成されている。第１液晶パネル１００には、複数本の走査線１１２が行方向（Ｘ方向）に延接される一方、複数本のデータ線１１４が図において列方向（Ｙ方向）に延設されている。そして、これらの走査線１１２とデータ線１１４との交差の各々に対応するように画素１１０がそれぞれ設けられている。
本実施形態では、走査線１１２の本数（行数）がｎ本であり、データ線１１４の本数（列数）が、ｍ本ある。走査線駆動回路１２０は、ｎ本の走査線１１２を順次選択して走査信号Ｙ１〜Ｙｎを走査線１１２に供給する。データ線駆動回路１３０は供給される第１画像信号Ｖ１を線順次のデータ信号Ｖｄ１〜Ｖｄｍに変換してデータ線１１４に供給する。
【００２８】
次に、画素１１０について説明する。図３に示されるように、画素１１０においては、ｎチャネル型のＴＦＴ１１６のソースがデータ線１１４に接続されるとともに、ドレインが画素電極１１８に接続される一方、ゲートが走査線１１２に接続されている。また、画素電極１１８に対向するように共通電極１０８が全画素に対して共通に設けられるとともに、一定の共通電位ＬＣcomに維持される。そして、これらの画素電極１１８と共通電極１０８との間に液晶層１０５が挟持されている。このため、画素毎に、画素電極１１８、共通電極１０８および液晶層１０５からなる液晶容量が構成されることになる。
また、液晶容量において電荷をリークしにくくさせるために、蓄積容量１０９が画素毎に形成されている。この蓄積容量１０９の一端は、画素電極１１８に接続される一方、その他端は、全画素にわたって共通接地されている。なお、画素１１０におけるＴＦＴ１１６は、走査線駆動回路１２０やデータ線駆動回路１３０の構成素子と共通の製造プロセスで形成されている。
また、液晶層１０５に印加する電圧を交流駆動するため、共通電位ＬＣcomを基準として画素電極１１８の電圧の極性が所定周期で反転するようにデータ信号Ｖｄ１〜Ｖｄｍが供給される。
【００２９】
＜１-２：プロジェクターの動作＞
次に、プロジェクターの動作について説明する。１画面の画像を表示する１フレームは、第１液晶パネル１００を時分割で駆動する単位である複数の単位期間に分割されている。本実施形態では１フレームを第１単位期間Ｔａと第２単位期間Ｔｂに分割するものとする。
また、第１単位期間Ｔａは第１期間Ｔ１と第２期間Ｔ２とで構成され、第２単位期間Ｔｂは第３期間Ｔ３と第４期間Ｔ４とで構成される。
制御回路５０は、第１液晶パネル１００に、図５に示すように第１単位期間ＴａでＢ色を表示すると共に第２単位期間ＴｂでＲ色を表示するように制御する。
【００３０】
各フレームにおいて、第１単位期間Ｔａの第１期間Ｔ１では、走査信号Ｙ１〜Ｙｎが順次アクティブとなり、Ｂ色の画像信号Ｖｂが線順次のデータ信号Ｖｄ１〜Ｖｄｍに変換され、第１液晶パネル１００の各画素１１０に書き込まれる。書き込まれた画像信号Ｖｂは第２期間Ｔ２において保持される。次に、第２単位期間Ｔｂの第３期間Ｔ３では、走査信号Ｙ１〜Ｙｎが順次アクティブとなり、Ｒ色の画像信号Ｖｒが線順次のデータ信号Ｖｄ１〜Ｖｄｍに変換され、第１液晶パネル１００の各画素１１０に書き込まれる。書き込まれた画像信号Ｖｒは第４期間Ｔ４において保持される。
【００３１】
ここで、第１極性信号Ｚ１は、奇数フレームで正極性を指定するハイレベルとなり、偶数フレームで負極性を指定するローレベルとなる。したがって、第１フレームＦ１（奇数フレーム）の第１単位期間Ｔａに書き込まれるＢ色の画像信号Ｖｂ１の極性は正極性（＋）となり、第２フレーム（偶数フレーム）の第１単位期間Ｔａに書き込まれるＢ色の画像信号Ｖｂ２の極性は負極性（−）となる。また、第１フレームＦ１（奇数フレーム）の第２単位期間Ｔｂに書き込まれるＲ色の画像信号Ｖｒ１の極性は正極性（＋）となり、第２フレーム（偶数フレーム）の第２単位期間Ｔｂに書き込まれるＲ色の画像信号Ｖｒ２の極性は負極性（−）となる。
【００３２】
したがって、液晶層１０５に印加される電圧は、正極性のＢ色の画像信号Ｖｂ１と負極性のＢ色の画像信号Ｖｂ２とで相殺され、正極性のＲ色の画像信号Ｖｒ１と負極性のＲ色の画像信号Ｖｒ２とで相殺される。よって、液晶層１０５には交流電圧が印加され、焼きつきを防止することが可能となる。
【００３３】
次に、発光制御信号Ｌｂは、第２期間Ｔ２の開始から時間ΔＴだけ遅れてハイレベルとなり、第３期間Ｔ３の終了でローレベルとなる。また、発光制御信号Ｌｒは、第３期間Ｔ３の開始から時間ΔＴだけ遅れてハイレベルとなり、第４期間Ｔ４の終了でローレベルとなる。
したがって、第１単位期間Ｔａの前半（第１期間Ｔ１）において、第１液晶パネル１００に１画面のＢ色のデータ信号Ｖｄの書き込みが終了するまでは、Ｒ色光源１１及びＢ色光源１３が非発光となるように制御し、書き込みが終了した後の第１単位期間Ｔａの後半において、Ｂ色光源１３が発光し及びＲ色光源１１が非発光となるように制御される。
また、第２単位期間Ｔｂの前半（第３期間Ｔ３）において、第１液晶パネル１００に１画面のＲ色のデータ信号Ｖｄの書き込みが終了するまでは、Ｒ色光源１１及びＢ色光源１３が非発光となるように制御し、書き込みが終了した後の第２単位期間Ｔｂの後半において、Ｒ色光源１１が発光し及びＢ色光源１３が非発光となるように制御される。
【００３４】
ところで、第１期間Ｔ１の終了時点では、Ｂ色の画像信号Ｖｂの書き込みが終了している。Ｂ色光源１３を第１期間Ｔ１の終了時点から時間ΔＴだけ遅らせたのは、液晶の応答特性を考慮したからである。液晶の透過率は印加電圧によって変化するが、印加電圧が変化しても直ちに透過率が変化するのではなく、印加電圧の変化から遅れて液晶の透過率が変化する。第１期間Ｔ１において、第１液晶パネル１００では、直前のフレームの第４期間Ｔ４に書き込まれた赤色の画像を青色の画像に書き換えることが行われる。このため、第１期間Ｔ１の終了時点では第ｎ行の近傍の画素１１０については、透過率の変化が印加電圧の変化に追従していない。このため、第２期間Ｔ２の開始からＢ色光源１３を発光させると、混色が発生する可能性がある。そこで、本実施形態では時間ΔＴだけ遅らせてＢ色光源１３を発光させたのである。なお、この点はＲ色光源１１も同様である。したがって時間ΔＴは液晶の応答特性を考慮して定めれば良い。例えば、印加電圧を変化させたとき、液晶の透過率が１０％から９０％に変換する時間としてもよい。
【００３５】
制御回路５０は、第１単位期間Ｔａと第２単位期間Ｔｂの各々において、第２液晶パネル２００に１画面のＧ色の画像信号Ｖｇを書き込む。すなわち、１フレームに２回、書き込みが実行される。
【００３６】
ここで、第２極性信号Ｚ２は、各フレームの第１単位期間Ｔａで正極性を指定するハイレベルとなり、各フレームの第２単位期間Ｔｂにおいて負極性を指定するローレベルとなる。したがって、各フレームの第１単位期間Ｔａに書き込まれるＧ色の画像信号Ｖｇの極性は正極性（＋）となり、各フレームの第２単位期間Ｔｂに書き込まれるＧ色の画像信号Ｖｇの極性は負極性（−）となり、液晶層１０５に印加される電圧は相殺される。よって、液晶層１０５には交流電圧が印加され、焼きつきを防止することができる。
【００３７】
また、発光制御信号Ｌｇは常時ハイレベルとなるから、Ｇ色光源２１は常時発光する。第２液晶パネル１００にはＧ色の画像しか表示されないので、Ｇ色光源２１が常時発光しても混色が発生することはない。
【００３８】
以上、説明したように第１実施形態によれば、１フレームを第１単位期間Ｔａと第２単位期間Ｔｂとに分割し、第１単位期間ＴａでＢ色の画像信号Ｖｂを、第２単位期間ＴｂでＲ色の画像信号Ｖｒを第１液晶パネル１００に供給した。そして、奇数フレームの第１単位期間Ｔａと偶数フレームの第１単位期間Ｔａとで、Ｂ色の画像信号Ｖｂの極性を反転することによって、極性が反転されたデータ信号Ｖｄを各画素１１０に書き込み、液晶層１０５に交流電圧を印加した。また、奇数フレームの第２単位期間Ｔｂと偶数フレームの第２単位期間Ｔｂとで、Ｒ色の画像信号Ｖｒの極性を反転することによって、極性が反転されたデータ信号Ｖｄを各画素１１０に書き込み、液晶層１０５に交流電圧を印加した。
これにより、２フレームに亘る同じ色のデータ信号Ｖｄ同士で液晶層１０５に印加される電圧を相殺して、焼きつきを防止することができる。
【００３９】
＜２．第２実施形態＞
第２実施形態に係るプロジェクターは、第１極性信号Ｚ１の反転タイミング、Ｂ色の画像信号Ｖｂ及びＲ色の画像信号Ｖｒの極性を除いて、第１実施形態のプロジェクターと同様に構成されている。
【００４０】
図６に第２実施形態に係るプロジェクターのタイミングチャートを示す。第１極性信号Ｚ１は、奇数フレームの第１単位期間Ｔａと偶数フレームの第２単位期間Ｔｂとで正極性を指定するハイレベルとなり、奇数フレームの第２単位期間Ｔｂと偶数フレームの第１単位期間Ｔａとで負極性を指定するローレベルとなる。したがって、第１フレームＦ１（奇数フレーム）の第１単位期間Ｔａに書き込まれるＢ色の画像信号Ｖｂ１の極性は正極性（＋）となり、第２フレーム（偶数フレーム）の第１単位期間Ｔａに書き込まれるＢ色の画像信号Ｖｂ２の極性は負極性（−）となる。また、第１フレームＦ１（奇数フレーム）の第２単位期間Ｔｂに書き込まれるＲ色の画像信号Ｖｒ１の極性は負極性（−）となり、第２フレーム（偶数フレーム）の第２単位期間Ｔｂに書き込まれるＲ色の画像信号Ｖｒ２の極性は正極性（＋）となる。すなわち、奇数フレームの第１単位期間Ｔａと偶数フレームの第１単位期間Ｔｂでは、共通電位ＬＣcomを基準としてデータ信号Ｖｄの極性を反転させ、奇数フレームの第２単位期間Ｔｂと偶数フレームの第２単位期間Ｔｂでは、共通電位ＬＣcomを基準としてデータ信号Ｖｄの極性を反転させる、
【００４１】
したがって、液晶層１０５に印加される電圧は、正極性のＢ色の画像信号Ｖｂ１と負極性のＢ色の画像信号Ｖｂ２とで相殺され、正極性のＲ色の画像信号Ｖｒ１と負極性のＲ色の画像信号Ｖｒ２とで相殺される。よって、液晶層１０５には交流電圧が印加され、焼きつきを防止することが可能となる。
【００４２】
＜３．第３実施形態＞
第１実施形態及び第２実施形態のプロジェクターでは、各フレームの第１単位期間ＴａにおいてＢ色の画像を第１液晶パネル１００に表示し、第２単位期間ＴｂにおいてＲ色の画像を第１液晶パネル１００に表示した。これに対して、第３実施形態のプロジェクターでは、第１液晶パネル１００において、奇数フレームの第２単位期間Ｔｂと偶数フレームの第１単位期間ＴａとでＲ色の画像を表示し、偶数フレームの第２単位期間Ｔｂと奇数フレームの第１単位期間ＴａとでＢ色の画像を表示する。
【００４３】
第３実施形態に係るプロジェクターは、第１極性信号Ｚ１の反転タイミング、各フレームに割り当てられるＢ色の画像信号Ｖｂ及びＲ色の画像信号Ｖｒの関係、Ｂ色の画像信号Ｖｂ及びＲ色の画像信号Ｖｒの極性、並びに発光制御信号Ｌｒ及びＬｂのタイミングを除いて、第１実施形態に係るプロジェクターと同様に構成されている。
【００４４】
図７に第３実施形態に係るプロジェクターのタイミングチャートを示す。この図に示すように奇数フレームの第１単位期間ＴａにはＢ色の画像が割り当てられ、その第２単位期間ＴｂにはＲ色の画像が割り当てられる。また、偶数フレームの第１単位期間ＴａにはＲ色の画像が割り当てられ、その第２単位期間ＴｂにはＢ色の画像が割り当てられる。したがって、フレームを跨いで同じ色が割り当てられる。
【００４５】
そして、第１極性信号Ｚ１は各フレームの第１単位期間Ｔａで正極性を指定するハイレベルとなり、第２単位期間Ｔｂで負極性を指定するローレベルとなる。このため、第１フレーム（奇数フレーム）の第２単位期間ＴｂにおけるＲ色の画像信号Ｖｒ１は負極性（−）となり、第２フレーム（偶数フレーム）の第１単位期間ＴａにおけるＲ色の画像信号Ｖｒ２は正極性（＋）となる。また、第２フレーム（偶数フレーム）の第２単位期間ＴｂにおけるＢ色の画像信号Ｖｂ２は負極性（−）となり、第３フレーム（奇数フレーム）の第１単位期間ＴａにおけるＢ色の画像信号Ｖｂ３は負極性（−）となる。
【００４６】
すなわち、奇数フレームの第２単位期間Ｔｂと偶数フレームの第１単位期間Ｔａとでは、共通電位ＬＣcomを基準としてデータ信号Ｖｄの極性を反転させる。これにより、液晶層１０５に印加される電圧は、負極性のＲ色の画像信号Ｖｒと正極性のＲ色の画像信号Ｖｒとで相殺される。また、偶数フレームの第２単位期間Ｔｂと奇数フレームの第１単位期間Ｔａとでは、共通電位ＬＣcomを基準としてデータ信号Ｖｄの極性を反転させる。これにより、液晶層１０５に印加される電圧は、負極性のＢ色の画像信号Ｖｂと正極性のＢ色の画像信号Ｖｂとで相殺される。よって、液晶層１０５には交流電圧が印加され、焼きつきを防止することが可能となる。
【００４７】
次に、第１フレーム（奇数フレーム）の第２単位期間Ｔｂの第３期間Ｔ３において、第１液晶パネル１００に１画面のＲ色のデータ信号Ｖｄの書き込みが終了するまでは、Ｒ色光源１１及びＢ色光源１３が非発光となり、書き込みが終了した後の第２単位期間Ｔｂの後半から第２フレーム（偶数フレーム）の第１単位期間Ｔａが終了するまでは、Ｒ色光源１１が発光し且つＢ色光源１３が非発光となる。
また、第２フレーム（偶数フレーム）の第２単位期間Ｔｂの第３期間Ｔ３において、第１液晶パネル１００に１画面のＢ色のデータ信号Ｖｄの書き込みが終了するまでは、Ｒ色光源１１及びＢ色光源１３が非発光となり、記書き込みが終了した後の第２単位期間Ｔｂの後半から第３フレーム（奇数フレーム）の第１単位期間Ｔａが終了するまでは、Ｂ色光源１３が発光し且つＲ色光源１１が非発光となる。
【００４８】
より具体的には、第１フレームＦ１（奇数フレーム）の第２単位期間Ｔｂの後半に位置する第４期間Ｔ４の開始から時間ΔＴだけ遅れて発光制御信号Ｌｒがハイレベルとなり、第２フレームＦ２（偶数フレーム）の第１単位期間Ｔａの終了において発光制御信号Ｌｒがローレベルとなる。このため、第１及び第２実施形態と比較して、Ｒ色光源１１が発光する期間を長くすることができる。
【００４９】
また、第２フレームＦ２（偶数フレーム）の第２単位期間Ｔｂの後半に位置する第４期間Ｔ４の開始から時間ΔＴだけ遅れて発光制御信号Ｌｂがハイレベルとなり、第３フレームＦ３（奇数フレーム）の第１単位期間Ｔａの終了において発光制御信号Ｌｂがローレベルとなる。このため、第１及び第２実施形態と比較して、Ｂ色光源１３が発光する期間を長くすることができる。
【００５０】
このように、Ｒ色光源１１とＢ色光源１３とが発光する期間を長くできるのは、直前のフレームの第２単位期間Ｔｂと現在のフレームの第１単位期間Ｔａにおいて同じ色の画像を割り当てるため、混色を回避するためにＲ色光源１１及びＢ色光源１３が同時に非発光となる期間を短くできるからである。これにより、第３実施形態のプロジェクターは明るい画像を表示することが可能となる。
【００５１】
＜４．変形例＞
本発明は上述した実施形態に限定されるものではなく、例えば、以下の変形が可能である。
（１）上述した各実施形態では、第１単位期間Ｔａの第１期間Ｔ１及び第２単位期間の第３期間Ｔ３において１画面のデータ信号を各画素書き込み、第２期間Ｔ２及び第４期間Ｔ４において書き込まれたデータ信号を保持したが、本発明はこれに限定されるものではなく、第２期間Ｔ２及び第４期間Ｔ４においても１画面のデータ信号を書き込んでもよい。
すなわち、第１単位期間Ｔａ及び第２単位期間Ｔｂの一部又は全部において書き込みを実行してもよい。この場合、上述した各実施形態の第１極性信号Ｚ１に従った極性でデータ信号を書き込めばよい。あるいは、第２期間Ｔ２では第１期間Ｔ１と反転した極性のデータ信号を書き込み、第４期間Ｔ４では第３期間Ｔ３と極性が反転したデータ信号を書き込んでもよい。この場合には、極性の反転周期を短くすることができるので、液晶層１０５の焼きつきを効果的に防止できる。さらに、第１期間Ｔ１と第２期間では、同じ画像信号に基づくデータ信号を書き込んでもよい。この場合には、シーンチェンジなどでフレームの相関性がない場合であっても、極性が反転しただけのデータ信号を書き込むことができるので、液晶層１０５の焼きつきを効果的に防止できる。
【００５２】
（２）上述した各実施形態において、Ｇ色を表示する第２液晶パネル２００では１/２フレームの期間で１画面の画像を書き込めがよいが、第１液晶パネル２００では１/４フレームの期間で１画面の画像を書き込む必要がある。そこで、第１液晶パネル１００においては２本の走査線１１２を同時に選択して、垂直解像度を第２液晶パネル２００の１/２としてしてもよい。そのように制御しても人の視感度はＧ色と比較してＢ色及びＲ色は高くないので、全体として違和感のないカラー画像を表示することができる。
【００５３】
（３）上述した実施形態及び変形例において、時間ΔＴはゼロであってもよい。この場合には、Ｒ色の画像信号Ｖｒの書き込みが終了すると、Ｒ色光源１１が直ちに発光し、Ｂ色の画像信号Ｖｂの書き込みが終了すると、Ｂ色光源１３が直ちに発光する。
【符号の説明】
【００５４】
１……プロジェクター、１１……Ｒ色光源、１３……Ｂ色光源、２１……Ｇ色光源、３０……光学系、５０……制御回路、６０……光源駆動回路、１００……第１液晶パネル、１１０……画素、１１２……走査線、１２０……走査線駆動回路、２００……第２液晶パネル、Ｔａ……第１単位期間、Ｔｂ……第２単位期間。
【図１】
2013041158.tif 000003
【図２】
2013041158.tif 000004
【図３】
2013041158.tif 000005
【図４】
2013041158.tif 000006
【図５】
2013041158.tif 000007
【図６】
2013041158.tif 000008
【図７】
2013041158.tif 000009